(57)【要約】【課題】互いに異なるデータレートを有した二種のリターンビデオデータのいずれかを受け、受けられたリターンビデオデータと共通のデータレートを有したシリアルビデオデータを伝送すべく送出するものとなす。【解決手段】ビデオデータ送出部１１からのワード列データに応じたシリアルビデオデータを得るＰ／Ｓ変換部２６Ａ〜２６Ｄと、第１及び第２のデータレートのいずれかを有したリターンビデオデータを受け、リターンビデオデータのデータレートの判別を行い、Ｐ／Ｓ変換部２６Ａ〜２６Ｄから得られるシリアルビデオデータを、リターンビデオデータが第１のデータレートを有するとき第１のデータレートを有したものとし、リターンビデオデータが第２のデータレートを有するとき第２のデータレートを有したものとするための制御信号を送出するデータレート判別部４０と、を備える。【選択図】図１
2005184726.tif 000002
【特許請求の範囲】
【請求項１】
ディジタルビデオ信号を発生し、該ディジタルビデオ信号に基づくワード列データを送出するビデオデータ送出部と、
該ビデオデータ送出部から得られるワード列データ、もしくは、該ワード列データに補助データが加えられて得られる多重ワード列データに基づくビット列データを形成するビット列データ形成部と、
該ビット列データ形成部から得られるビット列データについてのデータ伝送路を通じての伝送を行う伝送処理部と、
上記データ伝送路もしくは他のデータ伝送路を通じて伝送された、互いに異なる第１及び第２のデータレートのいずれかを有した外部ビット列データを受け、該外部ビット列データが上記第１及び第２のデータレートのいずれを有するものであるかを判別し、上記外部ビット列データが上記第１のデータレートを有するものであるとき、上記ビット列データ形成部から得られるビット列データのデータレートを上記第１のデータレートを有するものとなし、上記外部ビット列データが上記第２のデータレートを有するものであるとき、上記ビット列データ形成部から得られるビット列データを上記第２のデータレートを有するものとなすための制御信号を送出するデータレート判別部と、
を備えて構成されるデータ伝送装置。
【請求項２】
上記データレート判別部が、外部ビット列データにシリアル／パラレル変換を施して外部ワード列データを形成するシリアル／パラレル変換部と、該シリアル／パラレル変換部に上記シリアル／パラレル変換のためのクロック信号を供給し、上記シリアル／パラレル変換部から得られる外部ワード列データに基づいて、上記外部ビット列データが上記第１及び第２のデータレートのいずれを有するものであるかを判別して上記制御信号を送出するデータレート設定用制御信号形成部と、を含んで構成されることを特徴とする請求項１記載のデータ伝送装置。
【請求項３】
上記データレート判別部が、上記制御信号を上記ビデオデータ送出部に供給し、該ビデオデータ送出部が、上記制御信号に応じて、上記ディジタルビデオ信号に基づくワード列データを、上記外部ビット列データが上記第１のデータレートを有するものであるとき、上記ビット列データ形成部から得られるビット列データが上記第１のデータレートを有することになるものとして送出し、また、上記外部ビット列データが上記第２のデータレートを有するものであるとき、上記ビット列データ形成部から得られるビット列データが上記第２のデータレートを有することになるものとして送出することを特徴とする請求項１記載のデータ伝送装置。
【請求項４】
ディジタルビデオ信号を発生し、該ディジタルビデオ信号に基づくワード列データを送出するビデオデータ送出部と、
該ビデオデータ送出部から得られるワード列データ、もしくは、該ワード列データに補助データが加えられて得られる多重ワード列データに基づくビット列データを形成するビット列データ形成部と、
該ビット列データ形成部から得られるビット列データについてのデータ伝送路を通じての伝送を行う伝送処理部と、
上記データ伝送路もしくは他のデータ伝送路を通じて伝送された、データレートをＸ／１．０００b/s （Ｘは正数）及びＸ／１．００１b/s のいずれかとする外部ビット列データを受け、該外部ビット列データのデータレートが上記Ｘ／１．０００b/s 及びＸ／１．００１b/s のいずれであるかを判別し、上記外部ビット列データのデータレートが上記Ｘ／１．０００b/s であるとき、上記ビット列データ形成部から得られるビット列データのデータレートをＸ／１．０００b/s となし、上記外部ビット列データのデータレートが上記Ｘ／１．００１b/s であるとき、上記ビット列データ形成部から得られるビット列データのデータレートをＸ／１．００１b/s となすための制御信号を送出するデータレート判別部と、
を備えて構成されるデータ伝送装置。
【請求項５】
上記データレート判別部が、外部ビット列データにシリアル／パラレル変換を施して外部ワード列データを形成するシリアル／パラレル変換部と、該シリアル／パラレル変換部に上記シリアル／パラレル変換のためのクロック信号を供給し、上記シリアル／パラレル変換部から得られる外部ワード列データに基づいて、上記外部ビット列データのデータレートが上記Ｘ／１．０００b/s 及びＸ／１．００１b/s のいずれであるかを判別して上記制御信号を送出するデータレート設定用制御信号形成部と、を含んで構成されることを特徴とする請求項４記載のデータ伝送装置。
【請求項６】
上記データレート設定用制御信号形成部が、上記クロック信号をその周波数をＸ／（Ｎ×１．０００）Hz（ＮはＸより小なる正整数）もしくはＸ／（Ｎ×１．００１）Hzとするものとして上記シリアル／パラレル変換部に供給し、上記シリアル／パラレル変換部に周波数をＸ／（Ｎ×１．０００）Hzとする上記クロック信号が供給されるもとで、上記シリアル／パラレル変換部から得られる上記外部ワード列データもしくは上記シリアル／パラレル変換部に周波数をＸ／（Ｎ×１．０００）Hzとする上記クロック信号が供給されるもとで、上記シリアル／パラレル変換部から得られる上記外部ワード列データに基づいて、上記外部ビット列データのデータレートが上記Ｘ／１．０００b/s 及びＸ／１．００１b/s のいずれであるかを判別することを特徴とする請求項５記載のデータ伝送装置。
【請求項７】
上記データレート判別部が、上記制御信号を上記ビデオデータ送出部に供給し、該ビデオデータ送出部が、上記制御信号に応じて、上記ディジタルビデオ信号に基づくワード列データを、上記外部ビット列データのデータレートが上記Ｘ／１．０００b/s であるとき、上記ビット列データ形成部から得られるビット列データのデータレートがＸ／１．０００b/s とされることになるものとして送出し、また、上記外部ビット列データのデータレートが上記Ｘ／１．００１b/s であるとき、上記ビット列データ形成部から得られるビット列データのデータレートがＸ／１．００１b/s とされることになるものとして送出することを特徴とする請求項４記載のデータ伝送装置。
【請求項８】
上記ビデオデータ送出部が、上記ディジタルビデオ信号に基づくワード列データを、上記外部ビット列データのデータレートが上記Ｘ／１．０００b/s であるとき、データレートをＸ／（Ｎ×１．０００）B/s とするＮビットワード列データとして送出し、上記外部ビット列データのデータレートが上記Ｘ／１．００１b/s であるとき、データレートをＸ／（Ｎ×１．００１）B/s とするＮビットワード列データとして送出することを特徴とする請求項７記載のデータ伝送装置。
【請求項９】
上記ビデオデータ送出部が、複数の上記ディジタルビデオ信号に基づくワード列データを送出し、上記ビット列データ形成部が、上記ディジタルビデオ信号データ送出部から得られる複数のワード列データ、もしくは、該複数のワード列データに補助データが加えられて得られる複数の多重ワード列データ、に夫々基づく複数のビット列データを、各々のデータレートが、上記外部ビット列データのデータレートが上記Ｘ／１．０００b/s であるときＸ／１．０００b/s とされ、また、上記外部ビット列データのデータレートが上記Ｘ／１．００１b/s であるときＸ／１．００１b/s とされるものとして送出することを特徴とする請求項７記載のデータ伝送装置。
【発明の詳細な説明】
【技術分野】
【０００１】
本願の特許請求の範囲に記載された発明は、ディジタルビデオ信号に基づくデータをビット列データの形態をもって伝送するにあたり、伝送すべきビット列データを、外部データ送出部から伝送されてくる外部ビット列データのデータレートと共通のデータレートを有するものとして送出するデータ伝送装置に関する。
【背景技術】
【０００２】
テレビジョン放送局等により放送番組情報が収録されるにあたっては、一般に、複数のビデオカメラが使用されるもとで撮像が行われる。そして、複数のビデオカメラの夫々から得られるビデオ信号が、複数のビデオカメラに付随するカメラ制御ユニット（Camera Control Unit : ＣＣＵ）を経て、例えば、車両（中継車）に搭載された中継ユニットへと送られる。
【０００３】
また、複数のビデオカメラによる撮像が行われるにあたり、夫々のビデオカメラを操作する者（カメラマン）にとって、他のビデオカメラによる撮像状況を知ることが必要とされ、それゆえ、各ビデオカメラに備えられた画像モニター上において、他のビデオカメラから得られるビデオ信号に基づく再生画像が得られるようにされる。そのため、例えば、各ビデオカメラから得られ、ＣＣＵを経て中継ユニットへと送られたビデオ信号が、中継ユニットにおいて所定の処置が施されて、中継ユニットからＣＣＵを通じて各ビデオカメラに供給される。
【０００４】
このように、中継ユニットからＣＣＵを通じて各ビデオカメラに供給される他のビデオカメラから得られるビデオ信号は、その目的からして、それに基づく再生画像が高品質であることが要求されない。そこで、斯かるビデオ信号は、例えば、他のビデオカメラから得られるビデオ信号に圧縮処理等が施されて得られる、伝送容量が制限されて伝送が容易なものとされる。以下、このビデオ信号をリターンビデオ信号という。さらに、各ビデオカメラには、ＣＣＵから種々の制御信号が必要に応じて供給される。
【０００５】
上述のようにして、ビデオカメラと中継ユニットとの間では、ビデオカメラから得られるビデオ信号が、ＣＣＵを経て中継ユニットへと伝送されるとともに、中継ユニットにおいて所定の処置が施されたリターンビデオ信号が、中継ユニットからＣＣＵを経てビデオカメラへと伝送される。従って、ビデオカメラとＣＣＵとの間あるいはＣＣＵと中継ユニットとの間において、ビデオ信号とリターンビデオ信号との双方向伝送が行われることになる。そして、ビデオカメラとＣＣＵとの間では、ビデオカメラがＤＤＵの管理下におかれるもとで、ＤＤＵからビデオカメラへのリターンビデオ信号の伝送とビデオカメラからＣＣＵへのビデオ信号の伝送とが行われる。
【０００６】
ビデオカメラから得られるビデオ信号にあっては、近年、伝達情報の多様化及び再生画像の高品質化等を実現する観点から、ディジタル化が図られており、ディジタル化されたビデオ信号、即ち、ディジタルビデオ信号を発生するビデオカメラ（ディジタルビデオカメラ）が実用化されている。そして、ディジタルビデオカメラから得られるディジタルビデオ信号は、例えば、高精細度テレビジョン（High Definition Television : HDTV)システムのもとにおけるディジタルビデオ信号（以下、ＨＤ信号という）とされる。斯かるＨＤ信号は、所定のデータフォーマットに従ったワード列データ（パラレルビデオデータ）として形成され、Ｙ，ＰB ／ＰR 形式のものと、Ｇ，Ｂ，Ｒ形式のものとがある。Ｙ，ＰB ／ＰR 形式の場合、Ｙは輝度信号成分を意味し、ＰB ／ＰR は色差信号成分を意味する。また、Ｇ，Ｂ，Ｒ形式の場合、Ｇ，Ｂ及びＲは、夫々、緑色原色信号成分、青色原色信号成分及び赤色原色信号成分を意味する。
【０００７】
このようなＨＤ信号が、例えば、ディジタルビデオカメラからＣＣＵへと、あるいは、リターンビデオ信号としてＣＣＵからディジタルビデオカメラへと、同軸ケーブル，オプティカル・ファイバー等で形成されるデータ伝送路を通じて伝送されるに際しては、データ伝送路の構造が簡略されることからして、ＨＤ信号がワード列データからビット列データ（シリアルビデオデータ）に変換されて伝送されるシリアル伝送が望まれることになる。そして、ＨＤ信号のシリアル伝送に関しては、米国のＳＭＰＴＥ (Society of Motion Picture and Television Engi-neers ：動画及びテレビジョン技術者協会）による規格化がなされており、ＳＭＰＴＥによって制定された規格である SMPTE 292M による HD SDI (High Definition Serial Digital Interface)に準拠した伝送が行われる（非特許文献１参照。）。
【０００８】
HD SDI に準拠した伝送にあっては、同軸ケーブル, オプティカル・ファイバー等で形成されるデータ伝送路を通じて伝送されるビット列データであるシリアルビデオデータが、そのデータレートを１．４８５／１．０００Ｇb/s 及び１．４８５／１．００１Ｇb/s とするものとされることが定められている。即ち、 HD SDI に準拠したシリアルビデオデータの伝送にあたっては、シリアルビデオデータが、データレートを１．４８５／１．０００Ｇb/s とするもの及びデータレートを１．４８５／１．００１Ｇb/s とするもののいずれかとされるのである。データレートを１．４８５／１．０００Ｇb/s とするシリアルビデオデータとデータレートを１．４８５／１．００１Ｇb/s とするシリアルビデオデータとは、当然のことながら、データレート比を１：１／１．００１とするものであり、両者間には１．４８５／１．００１Ｍb/s だけのデータレートの差がある。
【非特許文献１】SMPTE STANDARD  SMPTE 292M-1998, for Televisio− Bit-Serial Digital Interface for High-Definition Television Systems
【発明の開示】
【発明が解決しようとする課題】
【０００９】
上述のように、例えば、ＣＣＵの管理下におかれてＣＣＵとの間でリターンビデオ信号とビデオ信号との双方向伝送を行うビデオカメラの一形態を成すディジタルビデオカメラは、ＣＣＵの管理下において、ＣＣＵから伝送されてくるデータレートを１．４８５／１．０００Ｇb/s もしくは１．４８５／１．００１Ｇb/s とするビット列データであるリターンシリアルビデオデータを受けるとともに、データレートを１．４８５／１．０００Ｇb/s もしくは１．４８５／１．００１Ｇb/s とするビット列データであるシリアルビデオデータをＣＣＵへと伝送すべく送出することになる。その際、ＣＣＵによるディジタルビデオカメラの管理のため、ＣＣＵからディジタルビデオカメラに伝送されるリターンシリアルビデオデータとディジタルビデオカメラからＣＣＵへと伝送されるシリアルビデオデータとは、両者に共通のデータレートを有するものとされることが望まれる。そうでないと、例えば、ＣＣＵにおいて、ディジタルビデオカメラからＣＣＵへと伝送されたシリアルビデオデータに、ＣＣＵから伝送されるリターンシリアルビデオデータと共通のデータレートを有するものとすべく、データレートを変換するためのクロック信号の載換え処理を施すことが要されることになるからである。そして、斯かる共通のデータレートは、ＣＣＵによって定められる。
【００１０】
従って、ＣＣＵの管理下におかれたディジタルビデオカメラには、ＤＤＵによって定められたデータレートとされる、１．４８５／１．０００Ｇb/s 及び１．４８５／１．００１Ｇb/s のうちの一方を有したビット列データであるリターンシリアルビデオデータを受けて、そのリターンシリアルビデオデータと共通のデータレートを有するものとされたビット列データであるシリアルビデオデータを、ＣＣＵへと伝送すべく送出することが要求される。
【００１１】
しかしながら、従来にあっては、ＣＣＵの管理下におかれたディジタルビデオカメラに、ＤＤＵから伝送されてくる、データレートを１．４８５／１．０００Ｇb/s 及び１．４８５／１．００１Ｇb/s のいずれかとするリターンシリアルビデオデータと共通のデータレートを有するものとされたシリアルビデオデータを、ＣＣＵへと伝送すべく送出する動作を自動的に行わせるための手法が確立されていず、ディジタルビデオカメラに斯かる動作を比較的簡単な構成をもって確実に行わせることができるシステムは見当たらない。
【００１２】
斯かる点に鑑み、本願の特許請求の範囲に記載された発明は、ディジタルビデオ信号に基づくデータを送出するビデオデータ送出部を含み、例えば、 HD SDI に準拠した伝送に供されるデータレートを１．４８５／１．０００Ｇb/s とするシリアルビデオデータとデータレートを１．４８５／１．００１Ｇb/s とするシリアルビデオデータとのような、データレートを互いに異にする二種の外部ビット列データのいずれかを受け、受けられた外部ビット列データと共通のデータレートを有するものとされた、ディジタルビデオ信号に基づくビット列データ、即ち、シリアルビデオデータを伝送すべく送出する動作を自動的に行うことができ、それゆえ、ディジタルビデオカメラに適用されるに好適なデータ伝送装置を提供する。
【課題を解決するための手段】
【００１３】
本願の特許請求の範囲における請求項１から請求項３までのいずれかに記載された発明に係るデータ伝送装置は、ディジタルビデオ信号を発生し、そのディジタルビデオ信号に基づくワード列データを送出するビデオデータ送出部と、ビデオデータ送出部から得られるワード列データ、もしくは、それに補助データが加えられて得られる多重ワード列データに基づくビット列データを形成するビット列データ形成部と、ビット列データ形成部から得られるビット列データについてのデータ伝送路を通じての伝送を行う伝送処理部と、上述のデータ伝送路もしくは他のデータ伝送路を通じて伝送された、互いに異なる第１及び第２のデータレートのいずれかを有した外部ビット列データを受け、その外部ビット列データが第１及び第２のデータレートのいずれを有するものであるかを判別し、受けられた外部ビット列データが第１のデータレートを有するものであるとき、ビット列データ形成部から得られるビット列データのデータレートを第１のデータレートを有するものとなし、受けられた外部ビット列データが第２のデータレートを有するものであるとき、ビット列データ形成部から得られるビット列データを第２のデータレートを有するものとなすための制御信号を送出するデータレート判別部と、を備えて構成される。
【００１４】
特に、本願の特許請求の範囲における請求項３に記載された発明に係るデータ伝送装置は、上述のビデオデータ送出部，ビット列データ形成部，伝送処理部及びデータレート判別部を備えたもとで、データレート判別部が、制御信号をビデオデータ送出部に供給し、ビデオデータ送出部が、制御信号に応じて、ディジタルビデオ信号に基づくワード列データを、外部ビット列データが第１のデータレートを有するものであるとき、ビット列データ形成部から得られるビット列データが第１のデータレートを有することになるものとして送出し、また、外部ビット列データが第２のデータレートを有するものであるとき、ビット列データ形成部から得られるビット列データが第２のデータレートを有することになるものとして送出するものとされる。
【００１５】
また、本願の特許請求の範囲における請求項４から請求項９までのいずれかに記載された発明に係るデータ伝送装置は、ディジタルビデオ信号を発生し、そのディジタルビデオ信号に基づくワード列データを送出するビデオデータ送出部と、ビデオデータ送出部から得られるワード列データ、もしくは、それに補助データが加えられて得られる多重ワード列データに基づくビット列データを形成するビット列データ形成部と、ビット列データ形成部から得られるビット列データについてのデータ伝送路を通じての伝送を行う伝送処理部と、上述のデータ伝送路もしくは他のデータ伝送を通じて伝送された、データレートをＸ／１．０００b/s （Ｘは正数）及びＸ／１．００１b/s のいずれかとする外部ビット列データを受け、外部ビット列データのデータレートがＸ／１．０００b/s 及びＸ／１．００１b/s のいずれであるかを判別し、外部ビット列データのデータレートがＸ／１．０００b/s であるとき、ビット列データ形成部から得られるビット列データのデータレートをＸ／１．０００b/s となし、外部ビット列データのデータレートがＸ／１．００１b/s であるとき、ビット列データ形成部から得られるビット列データのデータレートをＸ／１．００１b/s となすための制御信号を送出するデータレート判別部と、を備えて構成される。
【００１６】
特に、本願の特許請求の範囲における請求項７に記載された発明に係るデータ伝送装置は、上述のビデオデータ送出部，ビット列データ形成部，伝送処理部及びデータレート判別部を備えたもとで、データレート判別部が制御信号をビデオデータ送出部に供給し、ビデオデータ送出部が、制御信号に応じて、ディジタルビデオ信号に基づくワード列データを、外部ビット列データのデータレートがＸ／１．０００b/s であるとき、ビット列データ形成部から得られるビット列データのデータレートがＸ／１．０００b/s とされることになるものとして送出し、また、外部ビット列データのデータレートがＸ／１．００１b/s であるとき、ビット列データ形成部から得られるビット列データのデータレートがＸ／１．００１b/s とされることになるものとして送出するものとされる。
【００１７】
上述のような本願の特許請求の範囲における請求項１から請求項３までのいずれかに記載された発明に係るデータ伝送装置にあっては、データレート判別部が、先ず、データ伝送路を通じて伝送されてきた第１もしくは第２のデータレートを有した外部ビット列データを受け、そのデータが第１及び第２のデータレートのいずれを有するものであるかを判別する。次に、データレート判別部は、外部ビット列データが第１のデータレートを有するものであるときには、ビット列データ形成部から得られるビット列データを第１のデータレートを有するものとなすための制御信号を送出し、また、外部ビット列データが第２のデータレートを有するものであるときには、ビット列データ形成部から得られるビット列データを第２のデータレートを有するものとなすための制御信号を送出する。
【００１８】
その際、例えば、請求項３に記載された発明に係るデータ伝送装置のように、データレート判別部が送出する制御信号は、ビデオデータ送出部に供給され、ビデオデータ送出部が、その制御信号に応じて、ディジタルビデオ信号に基づくワード列データを、外部ビット列データが第１のデータレートを有するものであるとき、ビット列データ形成部から得られるビット列データが第１のデータレートを有することになるものとして送出し、また、外部ビット列データが第２のデータレートを有するものであるとき、ビット列データ形成部から得られるビット列データが第２のデータレートを有することになるものとして送出する。その結果、ビット列データ形成部から得られるビット列データについてのデータ伝送路を通じての伝送を行う伝送処理部により、データレート判別部により受けられる外部ビット列データと共通のデータレートを有するものとされた、ビデオデータ送出部から得られるディジタルビデオ信号に基づくビット列データが、伝送されるべく送出される。
【００１９】
従って、ビデオデータ送出部から送出されるディジタルビデオ信号に基づくワード列データ、もしくは、それに補助データが加えられて得られる多重ワード列データに基づいて得られるビット列データであるシリアルビデオデータについてのデータ伝送路を通じた伝送を行う伝送処理部により、ビデオデータ送出部から得られるディジタルビデオ信号に基づくビット列データが、データレート判別部により受けられる外部ビット列データと共通のデータレートを有するものとされて、伝送されるべく送出されることになる。
【００２０】
また、上述のような本願の特許請求の範囲における請求項４から請求項９までのいずれかに記載された発明に係るデータ伝送装置にあっては、データレート判別部が、先ず、データ伝送路を通じて伝送されてきた、データレートをＸ／１．０００b/s もしくはＸ／１．００１b/s とする外部ビット列データを受け、そのデータのデータレートがＸ／１．０００b/s 及びＸ／１．００１b/s のいずれであるかを判別する。次に、データレート判別部は、外部ビット列データのデータレートがＸ／１．０００b/s であるときには、ビット列データ形成部から得られるビット列データのデータレートをＸ／１．０００b/s となすための制御信号を送出し、また、外部ビット列データのデータレートがＸ／１．００１b/s であるときには、ビット列データ形成部から得られるビット列データのデータレートをＸ／１．００１b/s となすための制御信号を送出する。
【００２１】
その際、例えば、請求項７に記載された発明に係るデータ伝送装置のように、データレート判別部が送出する制御信号は、ビデオデータ送出部に供給され、ビデオデータ送出部が、その制御信号に応じて、ディジタルビデオ信号に基づくワード列データを、外部ビット列データのデータレートがＸ／１．０００b/s であるとき、ビット列データ形成部から得られるビット列データのデータレートがＸ／１．０００b/s とされることになるものとして送出し、また、外部ビット列データのデータレートがＸ／１．００１b/s であるとき、ビット列データ形成部から得られるビット列データのデータレートがＸ／１．００１b/s とされることになるものとして送出する。その結果、ビット列データ形成部から得られるビット列データについてのデータ伝送路を通じての伝送を行う伝送処理部により、データレート判別部により受けられる外部ビット列データと共通のデータレートを有するものとされた、ビデオデータ送出部から得られるディジタルビデオ信号に基づくビット列データが、伝送されるべく送出される。
【００２２】
従って、例えば、本願の特許請求の範囲における請求項４から請求項９までのいずれかに記載された発明に係るデータ伝送装置が、ＣＣＵの管理下におかれたディジタルビデオカメラに適用された場合、ビット列データ形成部から、ビデオデータ送出部から得られるディジタルビデオ信号に基づいて得られるビット列データであるシリアルビデオデータが得られる。そして、データレート判別部が、ＤＤＵからデータ伝送路を通じて伝送されてきた、データレートを、例えば、１．４８４／１．０００Ｇb/s もしくは１．４８５／１．００１Ｇb/s とするビット列データであるリターンシリアルビデオデータを受け、そのデータレートが１．４８５／１．０００Ｇb/s 及び１．４８５／１．００１Ｇb/s のいずれであるかを判別する。そして、データレート判別部は、リターンシリアルビデオデータのデータレートが１．４８５／１．０００Ｇb/s であるときには、ビット列データ形成部から得られるビット列データであるシリアルビデオデータのデータレートを１．４８５／１．０００Ｇb/s となすための制御信号を送出し、また、リターンシリアルビデオデータのデータレートが１．４８５／１．００１Ｇb/s であるときには、ビット列データ形成部から得られるビット列データであるシリアルビデオデータのデータレートを１．４８５／１．００１Ｇb/s となすための制御信号を送出する。
【００２３】
その際、データレート判別部が送出する制御信号は、ビデオデータ送出部に供給され、ビデオデータ送出部が、その制御信号に応じて、例えば、ディジタルビデオ信号に基づく２０ビットワード列データを、リターンシリアルビデオデータのデータレートが１．４８５／１．０００Ｇb/s であるときデータレートを１．４８５／（２０×１．０００）ＧB/s ＝７４．２５／１．０００ＭB/s とするものとして送出し、また、リターンシリアルビデオデータのデータレートが１．４８５／１．００１Ｇb/s であるときデータレートを１．４８５／（２０×１．００１）ＧB/s ＝７４．２５／１．００１ＭB/s とするものとして送出する。それにより、ビット列データ形成部から得られる、ディジタルビデオ信号に基づいて得られるビット列データであるシリアルビデオデータが、リターンシリアルビデオデータのデータレートが１．４８５／１．０００Ｇb/s であるときデータレートを（２０×７４．２５）／１．０００Ｍb/s ＝１．４８５／１．０００Ｇb/s とするものとされ、また、リターンシリアルビデオデータのデータレートが１．４８５／１．００１Ｇb/s であるときデータレートを（２０×７４．２５）／１．００１Ｍb/s ＝１．４８５／１．００１Ｇb/s とするものとされて、それが伝送処理部によりデータ伝送路を通じて伝送されるべく送出される。
【００２４】
即ち、ビデオデータ送出部から送出されるディジタルビデオ信号に基づく、例えば、２０ビットワード列データ、もしくは、それに補助データが加えられて得られる多重２０ビットワード列データに基づいて得られるビット列データであるシリアルビデオデータについてのデータ伝送路を通じての伝送を行う伝送処理部により、データレート判別部により受けられるリターンシリアルビデオデータと共通のデータレートを有するものとされたシリアルビデオデータが、伝送されるべく送出されることになる。
【発明の効果】
【００２５】
上述のとおりの本願の特許請求の範囲における請求項１から請求項９までのいずれかに記載された発明に係るデータ伝送装置は、例えば、 HD SDI に準拠した伝送に供されるデータレートを１．４８５／１．０００Ｇb/s とするシリアルビデオデータとデータレートを１．４８５／１．００１Ｇb/s とするシリアルビデオデータとのような、データレートを互いに異にする二種の外部ビット列データのいずれかを受け、受けられた外部ビット列データと共通のデータレートを有するものとされた、ディジタルビデオ信号に基づくビット列データ、即ち、シリアルビデオデータを伝送すべく送出する動作を自動的に行うことができ、それゆえ、例えば、ＣＣＵの管理下におかれ、ＣＣＵからのリターンシリアルビデオデータを受け、リターンシリアルビデオデータと共通のデータレートを有したシリアルビデオデータを伝送すべく送出するものとされるディジタルビデオカメラに適用されるに好適である。
【発明を実施するための最良の形態】
【００２６】
本願の特許請求の範囲に記載された発明を実施するための最良の形態は、以下に述べられる実施例をもって説明される。
【実施例】
【００２７】
図１は、本願の特許請求の範囲における請求項１から請求項９までのいずれかに記載された発明に係るデータ伝送装置の一例を、データ伝送路を介してＣＣＵ部に連結された状態をもって示す。
【００２８】
図１に示される例にあっては、ビデオデータ送出部１１，プログラマブル・ロジック・ディバイス（ＰＬＤ）部１２及び伝送処理部１３が備えられており、これらのビデオデータ送出部１１，ＰＬＤ部１２及び伝送処理部１３は、ディジタルビデオカメラを構成している。そして、ディジタルビデオカメラを構成する伝送処理部１３とＤＤＵ部１４との間において、ＤＤＵ部１４から送出されるリターンシリアルビデオデータと伝送処理部１３から送出されるシリアルビデオデータとの、データ伝送路１５を通じての双方向伝送が行われる。
【００２９】
ビデオデータ送出部１１にあっては、例えば、被写体を撮像してそれにより得られる撮像出力信号に基づくディジタルビデオ信号を発生するディジタルビデオ信号発生部２１からのディジタルビデオ信号ＤＶが、データ処理部２２に供給される。データ処理部２２は、ディジタルビデオ信号ＤＶに基づく４個のワード列データＤＰＡ，ＤＰＢ，ＤＰＣ及びＤＰＤを送出する。これらのワード列データＤＰＡ〜ＤＰＤの夫々は、ビット数をＮビット（Ｎは正整数）とするワードデータが連なって成るＮビットワード列データとされ、Ｎは、例えば、２０に選定される（Ｎ＝２０）。従って、ワード列データＤＰＡ〜ＤＰＤの夫々は、例えば、２０ビットワード列データとされることになる。
【００３０】
データ処理部２２から得られるワード列データＤＰＡ〜ＤＰＤは、ビデオデータ送出部１１から送出されて、ＰＬＤ部１２におけるデータ多重部２３に供給される。データ多重部２３には、ビデオデータ送出部１１に設けられたオーディオデータ発生部２４から送出されるオーディオデータＤＡＵ、及び、同じくビデオデータ送出部１１に設けられた補助データ発生部２５から送出される補助データＤＡＮも、必要に応じて供給される。これらのオーディオデータＤＡＵ及び補助データＤＡＮの夫々は、例えば、２０ビットワード列データとされる。
【００３１】
データ多重部２３にあっては、オーディオデータ発生部２４からのオーディオデータＤＡＵ及び補助データ発生部２５からの補助データＤＡＮが供給される場合には、それらが、いずれも補助データとして、データ処理部２２からのワード列データＤＰＡ〜ＤＰＤに多重され、また、オーディオデータ発生部２４からのオーディオデータＤＡＵもしくは補助データ発生部２５からの補助データＤＡＮが供給される場合には、それが、補助データとして、データ処理部２２からのワード列データＤＰＡ〜ＤＰＤに多重される。即ち、ワード列データＤＰＡ〜ＤＰＤに対しては、オーディオデータ発生部２４からのオーディオデータＤＡＵも補助データであり、補助データ発生部２５からの補助データＤＡＮは、オーディオデータＤＡＵ以外の補助データということになる。
【００３２】
また、オーディオデータ発生部２４からのオーディオデータＤＡＵ及び補助データ発生部２５からの補助データＤＡＮのいずれもがデータ多重部２３に供給されない場合には、ワード列データＤＰＡ〜ＤＰＤがそのままデータ多重部２３を通過する。
【００３３】
そして、データ多重部２３において、ワード列データＤＰＡ〜ＤＰＤにオーディオデータＤＡＵ及び補助データＤＡＮの少なくとも一方が多重されることにより、各々が２０ビットワード列データとされる多重ワード列データＤＭＡ，ＤＭＢ，ＤＭＣ及びＤＭＤが形成され、あるいは、ワード列データＤＰＡ〜ＤＰＤがそのまま多重ワード列データＤＭＡ〜ＤＭＤとされる。このようにして得られる多重ワード列データＤＭＡ〜ＤＭＤは、それらがデータ多重部２３から送出されて、パラレル／シリアル（Ｐ／Ｓ）変換部２６Ａ，２６Ｂ，２６Ｃ及び２６Ｄに夫々供給される。Ｐ／Ｓ変換部２６Ａ〜２６Ｄの夫々においては、各々が２０ビットワード列データである多重ワード列データＤＭＡ〜ＤＭＤの夫々にＰ／Ｓ変換処理が施され、それにより、多重ワード列データＤＭＡ〜ＤＭＤが、各々がビット列データとされるシリアルビデオデータＤＳＡ，ＤＳＢ，ＤＳＣ及びＤＳＤに夫々変換される。
【００３４】
このようなもとで、Ｐ／Ｓ変換部２６Ａ〜２６Ｄは、ビデオデータ送出部１１から得られる、各々が、例えば、そのものとされる、もしくは、ワード列データＤＰＡ〜ＤＰＤにオーディオデータＤＡＵ及び補助データＤＡＮの少なくとも一方が補助データとして加えられて得られる、多重ワード列データＤＭＡ〜ＤＭＤに基づくビット列データであるシリアルビデオデータＤＳＡ〜ＤＳＤを形成するビット列データ形成部を構成していることになる。
【００３５】
Ｐ／Ｓ変換部２６Ａ〜２６Ｄから夫々得られるシリアルビデオデータＤＳＡ〜ＤＳＤは、ＰＬＤ部１２から送出されて、伝送処理部１３に供給される。伝送処理部１３にあっては、シリアルビデオデータＤＳＡ〜ＤＳＤが電光（Ｅ／Ｏ）変換部２７Ａ，２７Ｂ，２７Ｃ及び２７Ｄに夫々供給される。
【００３６】
Ｅ／Ｏ変換部２７Ａは、シリアルビデオデータＤＳＡにＥ／Ｏ変換処理を施し、シリアルビデオデータＤＳＡに基づく、中心波長を、例えば、略１．５１１μm とする光信号ＯＡを形成して、それを合波部２８に導く。Ｅ／Ｏ変換部２７Ｂは、シリアルビデオデータＤＳＢにＥ／Ｏ変換処理を施し、シリアルビデオデータＤＳＢに基づく、中心波長を、例えば、略１．５３１μm とする光信号ＯＢを形成して、それを合波部２８に導く。Ｅ／Ｏ変換部２７Ｃは、シリアルビデオデータＤＳＣにＥ／Ｏ変換処理を施し、シリアルビデオデータＤＳＣに基づく、中心波長を、例えば、略１．５５１μm とする光信号ＯＣを形成して、それを合波部２８に導く。さらに、Ｅ／Ｏ変換部２７Ｄは、シリアルビデオデータＤＳＤにＥ／Ｏ変換処理を施し、シリアルビデオデータＤＳＤに基づく、中心波長を、例えば、略１．５７１μm とする光信号ＯＤを形成して、それを合波部２８に導く。
【００３７】
合波部２８は、中心波長を略１．５１１μm とする光信号ＯＡと中心波長を略１．５３１μm とする光信号ＯＢと中心波長を略１．５５１μm とする光信号ＯＣと中心波長を略１．５７１μm とする光信号ＯＤとを合波して多重化し、多重光信号ＯＭを形成する。
【００３８】
このようにして、合波部２８において多重化される光信号ＯＡ〜ＯＤは、それらの中心波長が略０．０２０μm ずつ隔たっているに過ぎない、相互に極めて近接した波長を有するもとで多重化されて、多重光信号ＯＭを形成するものとされており、Ｅ／Ｏ変換部２７Ａ〜２７Ｄと合波部２８とを含む部分においては、Coase Wavelength Division Multiplexing（CWDM）と称される波長多重技術が用いられる。
【００３９】
合波部２８から送出される多重光信号ＯＭは、第１，第２及び第３の入出力端(a),(b) 及び(c) を有した双方向性波長多重カップラ（双方向性ＷＤＭカップラ）２９の第１の入出力端(a) に導かれる。双方向性ＷＤＭカップラ２９の第１の入出力端(a) に導かれた多重光信号ＯＭは、双方向性ＷＤＭカップラ２９の第２の入出力端(b) に導出され、双方向性ＷＤＭカップラ２９から送出されて光コネクタ３０へと導かれる。
【００４０】
光コネクタ３０は、双方向性ＷＤＭカップラ２９の第２の入出力端(b) とデータ伝送路１５を形成する光信号伝送ケーブルの一端とを連結している。それにより、双方向性ＷＤＭカップラ２９からの多重光信号ＯＭは、光コネクタ３０を通じてデータ伝送路１５を形成する光信号伝送ケーブルにその一端側から送出され、それを通じて伝送される。
【００４１】
このようなもとで、伝送処理部１３は、ビット列データ形成部を構成するＰ／Ｓ変換部２６Ａ〜２６Ｄから夫々得られる各々がビット列データであるシリアルビデオデータＤＳＡ〜ＤＳＤについての、光信号伝送ケーブルによって形成されるデータ伝送路１５を通じての伝送を行うものとされていることになる。
【００４２】
データ伝送路１５を形成する光信号伝送ケーブルの他端には、それとＣＣＵ部１４とを連結する光コネクタ３１が設けられている。それにより、光コネクタ３０を通じてデータ伝送路１５を形成する光信号伝送ケーブルにその一端側から送出された多重光信号ＯＭは、その光信号伝送ケーブルの一端側から他端側へと伝送され、その他端側から光コネクタ３１を通じてＣＣＵ部１４へと導かれる。ＣＣＵ部１４にあっては、伝送処理部１３に備えられた双方向性ＷＤＭカップラ２９と同様な双方向性ＷＤＭカップラ３２が備えられており、データ伝送路１５を形成する光信号伝送ケーブル及び光コネクタ３１を通じて到来する多重光信号ＯＭが、双方向性ＷＤＭカップラ３２を通じて取り込まれる。
【００４３】
また、ＣＣＵ部１４においては、リターンビデオ信号に基づくリターンシリアルビデオデータＤＲＳにＥ／Ｏ変換処理が施されて光信号ＯＲが形成され、その光信号ＯＲが、双方向性ＷＤＭカップラ３２を通じて導出される。
【００４４】
その際、ＣＣＵ部１４において得られるリターンシリアルビデオデータＤＲＳは、データレートをＸ／１．０００b/s 及びＸ／１．００１b/s のいずれかとするビット列データとされ、Ｘは、例えば、１．４８５×１０9 に選定される（Ｘ＝１．４８５×１０9 ）。従って、リターンシリアルビデオデータＤＲＳは、例えば、データレート比を１：１／１．００１とする二つのビット列データである、HD SDIに準拠した伝送に供されるデータレートを１．４８５／１．０００Ｇb/s とするシリアルビデオデータ及びデータレートを１．４８５／１．００１Ｇb/s とするシリアルビデオデータのいずれかとされることになる。
【００４５】
さらに、リターンシリアルビデオデータＤＲＳには、それがあらわすビデオ情報に実質的影響を及ぼさないようにして挿入された識別データをあらわす部分が含まれる。
【００４６】
また、リターンシリアルビデオデータＤＲＳに基づく光信号ＯＲは、その中心波長が、例えば、略１．３μm に選定される。それにより、光信号ＯＲは、データレートを１．４８５／１．０００Ｇb/s もしくは１．４８５／１．００１Ｇb/s とし、中心波長を略１．３μm とするものとされる。
【００４７】
ＣＣＵ部１４から導出される光信号ＯＲは、光コネクタ３１を通じてデータ伝送路１５を形成する光信号伝送ケーブルにその他端側から送出され、それを通じて伝送される。そして、データ伝送路１５を形成する光信号伝送ケーブルを通じて伝送された光信号ＯＲは、光信号伝送ケーブルの一端側から光コネクタ３０を通じて伝送処理部１３に備えられた双方向性ＷＤＭカップラ２９の第２の入出力端(b) へと導かれ、双方向性ＷＤＭカップラ２９の第３の入出力端(c) に導出される。
【００４８】
伝送処理部１３における双方向性ＷＤＭカップラ２９の第３の入出力端(c) に導出される光信号ＯＲは、伝送処理部１３から送出されて、光電（Ｏ／Ｅ）変換部３３へと導かれる。Ｏ／Ｅ変換部３３は、データレートを１．４８５／１．０００Ｇb/s もしくは１．４８５／１．００１Ｇb/s とし、中心波長を略１．３μm とするものとされ光信号ＯＲにＯ／Ｅ変換処理を施し、光信号ＯＲに基づいた、データレートを１．４８５／１．０００Ｇb/s もしくは１．４８５／１．００１Ｇb/s とするリターンシリアルビデオデータＤＲＳを再生する。
【００４９】
Ｏ／Ｅ変換部３３により再生されたリターンシリアルビデオデータＤＲＳは、ＰＬＤ部１２におけるデータレート判別部４０に供給される。データレート判別部４０においては、Ｏ／Ｅ変換部３３からのリターンシリアルビデオデータＤＲＳが、シリアル／パラレル（Ｓ／Ｐ）変換部４１によって受けられる。
【００５０】
データレート判別部４０には、Ｓ／Ｐ変換部４１に加えて、データレート設定用制御信号形成部４２が備えられている。データレート設定用制御信号形成部４２は、周波数をＸ／（Ｎ×１．０００）Hz及びＸ／（Ｎ×１．００１）Hzのいずれかとするクロック信号ＣＫＲを発生し、それをＳ／Ｐ変換部４１に供給する。斯かるもとで、前述のように、Ｎが、例えば、２０に選定され、Ｘが、例えば、１．４８５×１０9 に選定される。それにより、  データレート判別部４０からＳ／Ｐ変換部４１に供給されるクロック信号ＣＫＲは、その周波数を、例えば、１．４８５／（２０×１．０００）Ｇb/s ＝７４．２５／１．０００ＭHz及び１．４８５／（２０×１．００１）Ｇb/s ＝７４．２５／１．００１ＭHzのいずれかとされる。
【００５１】
Ｓ／Ｐ変換部４１は、Ｏ／Ｅ変換部３３からのリターンシリアルビデオデータＤＲＳに、データレート設定用制御信号形成部４２からの周波数を７４．２５／１．０００ＭHz及び７４．２５／１．００１ＭHzのいずれかとするクロック信号ＣＫＲを用いてのＳ／Ｐ変換処理を施して、リターンシリアルビデオデータＤＲＳに基づく、データレート（ワードレート）を７４．２５／１．０００ＭB/s 及び７４．２５／１．００１ＭB/s のいずれかとする２０ビットワード列データＤＲＰを得る。このＳ／Ｐ変換部４１において形成される２０ビットワード列データＤＲＰは、データレートを１．４８５／１．０００Ｇb/s とするリターンシリアルビデオデータＤＲＳに周波数を７４．２５／１．０００ＭHzとするクロック信号ＣＫＲが用いられてのＳ／Ｐ変換処理が施されて得られるものとされる場合、あるいは、データレートを１．４８５／１．００１Ｇb/s とするリターンシリアルビデオデータＤＲＳに周波数を７４．２５／１．００１ＭHzとするクロック信号ＣＫＲが用いられてのＳ／Ｐ変換処理が施されて得られるものとされる場合には、リターンビデオ信号を適正にあらわすものとされ、そのリターンビデオ信号における、例えば、輝度信号成分中のラインブランキング期間部に対応する部分に、例えば、４個の１０ビットワードによって構成される識別データを適正な形をもって含むものとされる。
【００５２】
このようにして、Ｓ／Ｐ変換部４１から得られる２０ビットワード列データＤＲＰは、データレート設定用制御信号形成部４２に供給される。データレート設定用制御信号形成部４２は、Ｓ／Ｐ変換部４１から得られる２０ビットワード列データＤＲＰに基づいて、Ｓ／Ｐ変換部４１によって受けられるリターンシリアルビデオデータＤＲＳのデータレートが、１．４８５／１．０００Ｇb/s 及び１．４８５／１．００１Ｇb/s のいずれであるかを判別する。斯かるデータレート設定用制御信号形成部４２によるリターンシリアルビデオデータＤＲＳのデータレートについての判別は、例えば、Ｓ／Ｐ変換部４１に供給するクロック信号ＣＫＲを、その周波数を７４．２５／１．０００ＭHzとするものに設定し、そのときＳ／Ｐ変換部４１から得られる２０ビットワード列データＤＲＰが、識別データを適正な形をもって含むものとされる場合には、リターンシリアルビデオデータＤＲＳのデータレートは１．４８５／１．０００Ｇb/s であるとし、また、Ｓ／Ｐ変換部４１に供給するクロック信号ＣＫＲを、その周波数を７４．２５／１．００１ＭHzとするものに設定し、そのときＳ／Ｐ変換部４１から得られる２０ビットワード列データＤＲＰが、識別データを適正な形をもって含むものとされる場合には、リターンシリアルビデオデータＤＲＳのデータレートは１．４８５／１．００１Ｇb/s であるとすることによって行われる。
【００５３】
Ｓ／Ｐ変換部４１によって受けられるリターンシリアルビデオデータＤＲＳのデータレートが、１．４８５／１．０００Ｇb/s 及び１．４８５／１．００１Ｇb/s のいずれであるかについての判別結果を得たデータレート設定用制御信号形成部４２は、リターンシリアルビデオデータＤＲＳのデータレートが１．４８５／１．０００Ｇb/s であるとき及び１．４８５／１．００１Ｇb/s であるときの夫々に応じた制御信号ＣＤＶを発生する。この制御信号ＣＤＶは、リターンシリアルビデオデータＤＲＳのデータレートが１．４８５／１．０００Ｇb/s であるとき、ビット列データ形成部を構成するＰ／Ｓ変換部２６Ａ〜２６Ｄから夫々得られるビット列データであるシリアルビデオデータＤＳＡ〜ＤＳＤの各々のデータレートを１．４８５／１．０００Ｇb/s となし、リターンシリアルビデオデータＤＲＳのデータレートが１．４８５／１．００１Ｇb/s であるとき、ビット列データ形成部を構成するＰ／Ｓ変換部２６Ａ〜２６Ｄから夫々得られるビット列データであるシリアルビデオデータＤＳＡ〜ＤＳＤの各々のデータレートを１．４８５／１．００１Ｇb/s となすための制御信号とされる。
【００５４】
データレート設定用制御信号形成部４２から発せられる制御信号ＣＤＶは、データレート判別部４０から、さらには、ＰＬＤ部１２から送出されて、ビデオデータ送出部１１におけるディジタルビデオ信号発生部２１及びデータ処理部２２に供給される。
【００５５】
ディジタルビデオ信号発生部２１及びデータ処理部２２は、データレート判別部４０からの制御信号ＣＤＶが、リターンシリアルビデオデータＤＲＳのデータレートが１．４８５／１．０００Ｇb/s であるときに応じたものである場合には、データ処理部２２において得られ、ビデオデータ送出部１１から送出される、各々が２０ビットワード列データであるワード列データＤＰＡ〜ＤＰＤの夫々が、データレート（ワードレート）を１．４８５／（２０×１．０００）ＧB/s ＝７４．２５／１．０００ＭB/s とするものとなすように動作し、また、データレート判別部４０からの制御信号ＣＤＶが、リターンシリアルビデオデータＤＲＳのデータレートが１．４８５／１．００１Ｇb/s であるときに応じたものである場合には、データ処理部２２において得られ、ビデオデータ送出部１１から送出される、各々が２０ビットワード列データであるワード列データＤＰＡ〜ＤＰＤの夫々が、データレート（ワードレート）を１．４８５／（２０×１．００１）ＧB/s ＝７４．２５／１．００１ＭB/s とするものとなすように動作する。
【００５６】
その結果、ＰＬＤ部１２におけるデータ多重部２３から得られる、各々が２０ビットワード列データである多重ワード列データＤＭＡ〜ＤＭＤの夫々が、リターンシリアルビデオデータＤＲＳのデータレートが１．４８５／１．０００Ｇb/s であるとき、データレート（ワードレート）を７４．２５／１．０００ＭB/s とし、リターンシリアルビデオデータＤＲＳのデータレートが１．４８５／１．００１Ｇb/s であるとき、データレート（ワードレート）を７４．２５／１．００１ＭB/s とするものとされる。さらに、ＰＬＤ部１２においてビット列データ形成部を構成するＰ／Ｓ変換部２６Ａ〜２６Ｄから夫々得られるビット列データであるシリアルビデオデータＤＳＡ〜ＤＳＤが、リターンシリアルビデオデータＤＲＳのデータレートが１．４８５／１．０００Ｇb/s であるとき、データレート（ビットレート）を（２０×７４．２５）／１．０００Ｍb/s ＝１．４８５／１．０００Ｇb/s とし、リターンシリアルビデオデータＤＲＳのデータレートが１．４８５／１．００１Ｇb/s であるとき、データレート（ビットレート）を（２０×７４．２５）／１．００１Ｍb/s ＝１．４８５／１．００１Ｇb/s とするものとされる。
【００５７】
従って、データレート判別部４０におけるＳ／Ｐ変換部４１により受けられるリターンシリアルビデオデータＤＲＳのデータレートが１．４８５／１．００１Ｇb/s であるときには、ビット列データ形成部を構成するＰ／Ｓ変換部２６Ａ〜２６Ｄから夫々得られるビット列データであるシリアルビデオデータＤＳＡ〜ＤＳＤの各々が、そのデータレートを、リターンシリアルビデオデータＤＲＳと共通の１．４８５／１．０００Ｇb/s とするものとされて、伝送処理部１３によるデータ伝送路１５を形成する光信号伝送ケーブルを通じての伝送に供される動作が自動的に行われることになる。また、データレート判別部４０におけるＳ／Ｐ変換部４１により受けられるリターンシリアルビデオデータＤＲＳのデータレートが１．４８５／１．００１Ｇb/s であるときには、ビット列データ形成部を構成するＰ／Ｓ変換部２６Ａ〜２６Ｄから夫々得られるビット列データであるシリアルビデオデータＤＳＡ〜ＤＳＤの各々が、そのデータレートを、リターンシリアルビデオデータＤＲＳと共通の１．４８５／１．００１Ｇb/s とするものとされて、伝送処理部１３によるデータ伝送路１５を形成する光信号伝送ケーブルを通じての伝送に供される動作が自動的に行われることになる。
【００５８】
なお、上述の例にあっては、Ｓ／Ｐ変換部４１により受けられるリターンシリアルビデオデータＤＲＳは、ＣＣＵ部１４からデータ伝送路１５を形成する光信号伝送ケーブルを通じて伝送された光信号ＯＲに基づいて得られるものとされているが、Ｓ／Ｐ変換部４１により受けられるリターンシリアルビデオデータＤＲＳは、データ伝送路１５を形成する光信号伝送ケーブルとは異なるデータ伝送路を通じて得られるものとされてもよい。
【００５９】
これよりして、ＰＬＤ部１２に含まれるデータレート判別部４０は、例えば、Ｎが２０に選定され、Ｘが１．４８５×１０9 に選定されるもとで、データ伝送路１５を形成する光信号伝送ケーブルもしくは他のデータ伝送路を通じて伝送された、データレートをＸ／１．０００b/s 及びＸ／１．００１b/s のいずれかとするビット列データであるリターンシリアルビデオデータを受け、そのリターンシリアルビデオデータのデータレートがＸ／１．０００b/s 及びＸ／１．００１b/s のいずれであるかを判別し、リターンシリアルビデオデータのデータレートがＸ／１．０００b/s であるとき、ビット列データ形成部から得られる、各々がビット列データであるシリアルビデオデータＤＳＡ〜ＤＳＤのデータレートをＸ／１．０００b/s となし、リターンシリアルビデオデータのデータレートがＸ／１．００１b/s であるとき、ビット列データ形成部から得られる、各々がビット列データであるシリアルビデオデータＤＳＡ〜ＤＳＤのデータレートをＸ／１．００１b/s となすための制御信号ＣＤＶを送出することになる。
【００６０】
そして、データレート判別部４０が送出する制御信号ＣＤＶがビデオデータ送出部１１に供給され、ビデオデータ送出部１１が、制御信号ＣＤＶに応じて、ディジタルビデオ信号発生部２１から得られるディジタルビデオ信号ＤＶに基づいてデータ処理部２２から得られるワード列データＤＰＡ〜ＤＰＤの夫々を、リターンシリアルビデオデータＤＲＳのデータレートがＸ／１．０００b/s であるとき、ビット列データ形成部を形成するＰ／Ｓ変換部２６Ａ〜２６Ｄから夫々得られる、各々がビット列データであるシリアルビデオデータＤＳＡ〜ＤＳＤの夫々のデータレートが，Ｘ／１．０００b/s とされることになるものとして送出し、また、リターンシリアルビデオデータＤＲＳのデータレートがＸ／１．００１b/s であるとき、ビット列データ形成部を形成するＰ／Ｓ変換部２６Ａ〜２６Ｄから夫々得られる、各々がビット列データであるシリアルビデオデータＤＳＡ〜ＤＳＤの夫々のデータレートが，Ｘ／１．００１b/s とされることになるものとして送出することになる。
【００６１】
このようなもとで、ＰＬＤ部１２内のデータレート判別部４０におけるＳ／Ｐ変換部４１から得られる２０ビットワード列データＤＲＰは、ビデオデータ送出部１１に内蔵された表示用映像信号形成部４４にも供給される。そして、表示用映像信号形成部４４においては、２０ビットワード列データＤＲＰがあらわすリターンビデオ信号に基づいた表示用映像信号ＳＶが形成されて、それがビデオデータ送出部１１に内蔵されたビューファインダ４５に供給される。それにより、ビューファインダ４５において、ＣＣＵ部１４において得られるリターンビデオ信号があらわす画像が表示される。
【００６２】
図２は、図１に示される例におけるデータレート設定用制御信号形成部４２が、例えば、マイクロコンピュータが用いられて構成されるもとにおいて、斯かるマイクロコンピュータが、Ｓ／Ｐ変換部４１によって受けられるリターンシリアルビデオデータＤＲＳのデータレートが、１．４８５／１．０００Ｇb/s 及び１．４８５／１．００１Ｇb/s のいずれであるかを判別するにあたって実行する動作制御プログラムの一例をあらわすフローチャートを示す。
【００６３】
図２に示されるフローチャートによりあらわされる動作制御プログラムにあっては、スタート後、ステップ５１において、Ｓ／Ｐ変換部４１からリターンシリアルビデオデータＤＲＳが到来しているか否かを判断する。その結果、リターンシリアルビデオデータＤＲＳが到来していない場合には、ステップ５１での判断を繰り返す。また、ステップ５１での判断の結果、リターンシリアルビデオデータＤＲＳが到来している場合には、ステップ５２において、Ｓ／Ｐ変換部４１に供給するクロック信号ＣＫＲを、周波数を７４．２５／１．０００ＭHzとするものに設定する。
【００６４】
続いて、ステップ５３において、Ｓ／Ｐ変換部４１からのリターンシリアルビデオデータＤＲＳから、識別データが適正な形をもって検出されるか否かを判断する。その結果、識別データが適正な形をもって検出されない場合には、ステップ５４において、Ｓ／Ｐ変換部４１に供給するクロック信号ＣＫＲを、周波数を７４．２５／１．００１ＭHzとするものに設定し、続くステップ５５において、Ｓ／Ｐ変換部４１からのリターンシリアルビデオデータＤＲＳから、識別データが適正な形をもって検出されるか否かを判断する。
【００６５】
ステップ５５での判断の結果、識別データが適正な形をもって検出されない場合には、ステップ５６において、Ｓ／Ｐ変換部４１からのリターンシリアルビデオデータＤＲＳの到来が継続しているか否かを判断する。その結果、リターンシリアルビデオデータＤＲＳの到来が継続している場合には、ステップ５６での判断を繰り返し、リターンシリアルビデオデータＤＲＳの到来が継続しなくなった場合には、ステップ５１に戻る。
【００６６】
また、ステップ５３での判断の結果、識別データが適正な形をもって検出される場合には、リターンシリアルビデオデータＤＲＳのデータレートが１．４８５／１．０００Ｇb/s であるとして、ステップ５７に進み、ステップ５７において、ビット列データ形成部を構成するＰ／Ｓ変換部２６Ａ〜２６Ｄから夫々得られるビット列データであるシリアルビデオデータＤＳＡ〜ＤＳＤの各々のデータレートを１．４８５／１．０００Ｇb/s となすための制御信号ＣＤＶを送出して、ステップ５６に進む。
【００６７】
さらに、ステップ５５での判断の結果、識別データが適正な形をもって検出される場合には、リターンシリアルビデオデータＤＲＳのデータレートが１．４８５／１．００１Ｇb/s であるとして、ステップ５８に進み、ステップ５８において、ビット列データ形成部を構成するＰ／Ｓ変換部２６Ａ〜２６Ｄから夫々得られるビット列データであるシリアルビデオデータＤＳＡ〜ＤＳＤの各々のデータレートを１．４８５／１．００１Ｇb/s となすための制御信号ＣＤＶを送出して、ステップ５６に進む。
【００６８】
上述の図１に示される例にあっては、ビデオデータ送出部１１におけるデータ処理部２２が、ディジタルビデオ信号発生部２１からのディジタルビデオ信号ＤＶに基づく４個のワード列データＤＰＡ，ＤＰＢ，ＤＰＣ及びＤＰＤを送出するものとされているが、ビデオデータ送出部１１におけるデータ処理部２２は、ディジタルビデオ信号発生部２１からのディジタルビデオ信号ＤＶに基づく４個以外の個数、例えば、１個のワード列データを、例えば、２０ビットワード列データとして送出されるものとされてもよい。斯かる際には、ＰＬＤ部１２において、ビット列データ形成部を構成するＰ／Ｓ変換部２６Ａ〜２６Ｄに代えて、ビット列データ形成部を構成する４個以外の個数、例えば、１個のＰ／Ｓ変換部が設けられ、それから、ビット列データであるシリアルビデオデータＤＳＡ〜ＤＳＤに代わる、４個以外の個数、例えば、１個のビット列データであるシリアルビデオデータが送出される。さらに、伝送処理部１３において、Ｅ／Ｏ変換部２７Ａ〜２７Ｄに代えて、４個以外の個数、例えば、１個のＥ／Ｏ変換部が設けられ、それから、光信号ＯＡ〜ＯＤに代わる、４個以外の個数、例えば、１個の光信号が送出される。特に、伝送処理部１３において、Ｅ／Ｏ変換部２７Ａ〜２７Ｄに代わる１個のＥ／Ｏ変換部が設けられる場合には、伝送処理部１３における合波部２８は設けられる必要はなく、Ｅ／Ｏ変換部２７Ａ〜２７Ｄに代わる１個のＥ／Ｏ変換部からの光信号が、双方向性ＷＤＭカップラ２９を通じて光コネクタ３０に導かれる。
【産業上の利用可能性】
【００６９】
上述のような本願の特許請求の範囲における請求項１から請求項９までのいずれかに記載された発明に係るデータ伝送装置は、例えば、ＣＣＵの管理下におかれ、ＣＣＵからのリターンシリアルビデオデータを受け、リターンシリアルビデオデータと共通のデータレートを有したシリアルビデオデータを送出すべきものとされるディジタルビデオカメラに適用されるに好適なものとして、有効に利用され得るものである。
【図面の簡単な説明】
【００７０】
【図１】本願の特許請求の範囲における請求項１から請求項９までのいずれかに記載された発明に係るデータ伝送装置の一例を、データ伝送路を介してＣＣＵ部に連結された状態をもって示すブロック接続図である。
【図２】図１に示される例におけるデータレート設定用制御信号形成部がマイクロコンピュータが用いられて構成されるもとにおいて、斯かるマイクロコンピュータがリターンシリアルビデオデータのデータレートを判別するにあたって実行する動作制御プログラムの一例をあらわすフローチャートである。
【符号の説明】
【００７１】
１１・・・ビデオデータ送出部，  １２・・・ＰＬＤ部，  １３・・伝送処理部，  １４・・・ＣＣＵ部，  １５・・・データ伝送路，  ２１・・・ディジタルビデオ信号発生部，  ２２・・・データ処理部，  ２３・・・データ多重部，  ２４・・・オーディオデータ発生部，  ２５・・・補助データ発生部，  ２６Ａ〜２６Ｄ・・・Ｐ／Ｓ変換部，  ２７Ａ〜２７Ｄ・・・Ｅ／Ｏ変換部，  ２８・・・合波部，  ２９，３２・・・双方向性ＷＤＭカップラ，  ３０，３１・・・光コネクタ，  ３３・・・Ｏ／Ｅ変換部，  ４０・・・データレート判別部，  ４１・・・Ｓ／Ｐ変換部，  ４２・・・データレート設定用制御信号形成部，  ４４・・・表示用映像信号形成部，  ４５・・・ビューファインダ
【図１】
2005184726.tif 000003
【図２】
2005184726.tif 000004